(57)【要約】【課題】胴部の小型化に伴って把持部を小型化することができる手持ち型の電気機器を提供すること。【解決手段】胴部４と、この胴部４から離間して設けられる把持部５と、前記胴部４と把持部５とを連結する第一連結部６及び第二連結部７とを有する電気機器としての電気掃除機１において、これらの連結部６，７が互いに前後に離間して設けられると共に、前記第一連結部６が金属製棒状体である鋼製のスリーブ４７及び鋼製のボルト４８を含んで構成されることにより、前記第一連結部６を細く形成しても強度が十分確保できるので、この第一連結部６と第二連結部７の間隔Ｌを十分に確保しながら、前記把持部５の長さを短くすることができる。【選択図】図３
2019186408.tif 000002
【特許請求の範囲】
【請求項１】
胴部と、この胴部から離間して設けられる把持部と、前記胴部と把持部とを連結する第一連結部及び第二連結部とを有する電気機器において、
これらの連結部が互いに離間して設けられると共に、これらの連結部のうち少なくとも第一連結部が、前記胴部と把持部を連結する金属製棒状体を含んで構成されることを特徴とする電気機器。
【請求項２】
前記第一連結部が、前記胴部と把持部の間に設けられる筒状体と、この筒状体を貫通して前記胴部と筒状体と把持部を挟持するボルト及びナットを有することを特徴とする請求項１記載の電気機器。
【請求項３】
前記第一連結部が、前記胴部と把持部の間に設けられると共にビス孔を有する前記金属製棒状体と、この金属製棒状体のビス孔に螺合されて前記胴部と前記把持部を前記金属製棒状体との間で挟持するビスを有することを特徴とする請求項１記載の電気機器。
【請求項４】
前記胴部及び把持部がそれぞれ半体を結合して構成されると共に、これらの半体同士を結合することにより前記金属製棒状体の両端が挟持されるように構成されることを特徴とする請求項１記載の電気機器。
【発明の詳細な説明】
【技術分野】
【０００１】
本発明は、手で持って使用される電気掃除等の電気機器に関するものである。
【背景技術】
【０００２】
従来、この種の電気機器としては、本体（本願発明の胴部に相当する）の端部に把手（本願発明の把持部に相当する）が設けられたたて型電気掃除機が知られている（例えば、特許文献１参照。）。また、略円筒状の本体（本願発明の胴部に相当する）の側部にハンドル（本願発明の把持部に相当する）が設けられたスティック型の掃除機も知られている（例えば、特許文献２参照。）。
【先行技術文献】
【特許文献】
【０００３】
【特許文献１】実開昭６３−１９２９５２号公報
【特許文献２】特開２０１８−６０４号公報
【発明の概要】
【発明が解決しようとする課題】
【０００４】
ところで、手で持って使用される電気機器は、より容易に扱うことができるように胴部の小型軽量化が図られている。そして、この胴部の小型化に伴い、把持部も小型化が図られている。一方で、このように把持部が小型化されると、手の大きな人が握り辛くなるので、ある程度の長さは確保しておく必要がある。即ち、従来の構造では、把持部の小型化に限界があった。このように、胴部が小型化される一方で把持部が小型化されない場合、デザイン上のバランスが悪くなるばかりでなく、実際の使用において取り扱いにくいという問題があった。
【０００５】
本発明は以上の問題点を解決し、胴部の小型化に伴って把持部を小型化することができる手持ち型の電気機器を提供することを目的とする。
【課題を解決するための手段】
【０００６】
本発明の請求項１に記載の電気機器は、胴部と、この胴部から離間して設けられる把持部と、前記胴部と把持部とを連結する第一連結部及び第二連結部とを有する電気機器において、これらの連結部が互いに離間して設けられると共に、これらの連結部のうち少なくとも第一連結部が、前記胴部と把持部を連結する金属製棒状体を含んで構成されるものである。
【０００７】
また、本発明の請求項２に記載の電気機器は、請求項１において、前記第一連結部が、前記胴部と把持部の間に設けられる筒状体と、この筒状体を貫通して前記胴部と筒状体と把持部を挟持するボルト及びナットを有するものである。
【０００８】
また、本発明の請求項３に記載の電気機器は、請求項１において、前記第一連結部が、前記胴部と把持部の間に設けられると共にビス孔を有する前記金属製棒状体と、この金属製棒状体のビス孔に螺合されて前記胴部と前記把持部を前記金属製棒状体との間で挟持するビスを有するものである。
【０００９】
更に、本発明の請求項４に記載の電気機器は、請求項１において、前記胴部及び把持部がそれぞれ半体を結合して構成されると共に、これらの半体同士を結合することにより前記金属製棒状体の両端が挟持されるように構成されるものである。
【発明の効果】
【００１０】
本発明の請求項１に記載の電気機器は、以上のように構成することにより、前記第一連結部を細く形成しても強度が十分確保できるので、この第一連結部と第二連結部の間隔を十分に確保しながら、前記把持部の長さを短くすることができる。
【００１１】
なお、前記第一連結部が、前記胴部と把持部の間に設けられる筒状体と、この筒状体を貫通して前記胴部と筒状体と把持部を挟持するボルト及びナットを有することで、汎用部品を用いて前記第一連結部を構成することができるので、安価に製造することができる。
【００１２】
また、前記第一連結部が、前記胴部と把持部の間に設けられると共にビス孔を有する前記金属製棒状体と、この金属製棒状体のビス孔に螺合されて前記胴部と前記把持部を前記金属製棒状体との間で挟持するビスを有することで、このビスを前記金属製棒状体の両端に螺合させることで前記第一連結部を容易に構成することができる。
【００１３】
更に、前記胴部及び把持部がそれぞれ半体を結合して構成されると共に、これらの半体同士を結合することにより前記金属製棒状体の両端が挟持されるように構成されることで、前記胴部及び把持部の半体同士をビス等で螺着させることで容易に前記第一連結部を構成することができる。
【図面の簡単な説明】
【００１４】
【図１】本発明の第一の実施形態を示す電気機器としての電気掃除機における外観図であり、（ａ）は正面図、（ｂ）は右側面図である。
【図２】同、背面図である。
【図３】同、要部の拡大図である。
【図４】同、第一連結部の概略説明図である。
【図５】本発明の第二の実施形態を示す電気機器としての電気掃除機における第一連結部の概略説明図である。
【図６】本発明の第三の実施形態を示す電気機器としての電気掃除機における第一連結部の概略説明図である。
【発明を実施するための形態】
【００１５】
以下、本発明の第一の実施形態について、図１乃至図４に基づいて説明する。なお、本実施形態において、図１に基づいて上下及び前後を規定する。即ち、図１における上下が本実施形態における上下である。また、図１（ｂ）における左側が本実施形態の前であり、右側が本実施形態の後である。１は本発明の電気機器としての電気掃除機である。この電気掃除機１は、本体２とアタッチメント９０とを有して構成される。
【００１６】
前記本体２は、胴部４と把持部５と第一連結部６と第二連結部７とを有する。前記胴部４は、略円筒状に形成される。また、前記胴部４の上端部４Ａは、前側が低くなるように斜めに形成される。更に、前記胴部４の下部には、吸込口４Ｂが設けられる。前記把持部５は、略円筒状に形成される。また、前記把持部５は、前記胴部４の上端部４Ａと所定の間隔をおいて設けられる。なお、前記把持部５は、前記胴部４の上端部４Ａと平行に設けられる。そして、前記胴部４の上端部４Ａと前記把持部５は、前記第一連結部６と第二連結部７によって連結される。前記胴部４の上端部４Ａの前側と前記把持部５の前側とを連結する前記第一連結部６は、前記胴部４の上端部４Ａ及び把持部５と直交して設けられる。即ち、前記第一連結部６は、上方ほど前方となるように傾斜して設けられる。一方、前記胴部４の上端部４Ａの後側と前記把持部５の後側とを連結する第二連結部７は、その前縁７Ａが前記第一連結部６と平行に形成される。即ち、前記第二連結部７の前縁７Ａも、上方ほど前方となるように傾斜して設けられる。また、前記把持部５の前部には、操作部８及び表示部９が設けられる。前記操作部８は押しボタン式のスイッチである。また、前記表示部９は、前記把持部５における前記第一連結部６よりも前方に設けられる。前記表示部９は、内部に図示しないＬＥＤが設けられており、前記把持部５の円筒側面の全周に渡って環状に設けられる。このため、前記表示部９から放出された光は、前記本体２の全方向から視認することができる。更に、前記胴部４の背面には、略円形凹状の受電部１０が設けられる。この受電部１０には、受電端子１１，１２及び磁着部１３が設けられる。この磁着部１３は、背面視で円形の鋼製部品である。そして、前記受電部に１０に、図示しない給電部が着脱可能に接続される。なお、この給電部には、前記受電端子１１，１２に対応する一対の給電端子、及び前記磁着部１３に対応する磁石が設けられる。そして、前記磁着部１３が前記磁石に磁着されることで、前記受電端子１１，１２と一対の給電端子が電気的に接続された状態で、前記受電部１０と給電部との接続が維持される。
【００１７】
前記第一連結部６及びその周辺構造について詳述する。前記胴部４の上端部４Ａと把持部５は、前記第二連結部７の前部７Ｂと共に一体に形成される。そして、前記上端部４Ａの前部には、前記把持部５に向かって短円筒状の筒状部４１が一体に形成される。また、前記把持部５の前部にも、前記上端部４Ａに向かって短円筒状の筒状部４２が一体に形成される。なお、前記筒状部４１には、貫通孔４１Ａが形成される。一方、前記筒状部４２には、孔部４２Ａが形成される。そして、前記貫通孔４１Ａと孔部４２Ａは、同軸で且つ内径が同じに形成されると共に、それぞれ前記上端部４Ａ及び把持部５と直交する。また、前記胴部４の内部には、フレーム４Ｃが設けられる。このフレーム４Ｃには、前記筒状部４１に挿入される筒状部４３が一体形成される。そして、この筒状部４３には、貫通孔４３Ａが形成される。なお、前記フレーム４Ｃに前記上端部４Ａを取り付けた状態において、前記貫通孔４３Ａは前記貫通孔４１Ａ及び孔部４２Ａと同軸状となる。そして、前記フレーム４Ｃの後部には、前記第二連結部７の後部７Ｃが一体に形成される。また、前記筒状部４２の上方には、段部４４が形成される。この段部４４には、貫通孔４４Ａが形成される。なお、この貫通孔４４Ａは、前記孔部４２Ａと同軸状となる。更に、前記段部４４の上方には、内形状が正六角形の保持部４５が形成される。この保持部４５には、正六角形の鋼製のナット４６が挿入され、回り止めされた状態で保持される。また、前記筒状部４１，４２の内側には、金属製棒状体兼筒状体である鋼製のスリーブ４７が配置される。このスリーブ４７の軸方向両端部は、それぞれ前記筒状部４３と段部４４に当接する。また、前記スリーブ４７には、軸方向に貫通孔４７Ａが形成される。更に、前記筒状部４３の貫通孔４３Ａと、前記スリーブ４７の貫通孔４７Ａと、前記段部４４の貫通孔４４Ａには、金属製棒状体である鋼製のボルト４８が挿通される。そして、このボルト４８は、前記ナット４６と螺合する。前記ボルト４８とナット４６を螺合させると、前記スリーブ４７の両端が前記段部４４と前記筒状部４３との間で締め付けられて挟持される。そして、前記段部４４が前記把持部５と一体に形成され、また、前記筒状部４３が前記胴部４のフレーム４Ｃと一体に形成されるので、前記スリーブ４７と前記ボルト４８は、前記胴部４と把持部５との間で支持される。
【００１８】
前記スリーブ４７は、前記筒状部４１の貫通孔４１Ａの下方から、この貫通孔４１Ａに挿入される。そして、前記スリーブ４７の上端部は、前記筒状部４２の孔部４２Ａに挿入され、前記段部４４に当接する。このようにして前記スリーブ４７が挿入された前記上端部４Ａ及び把持部５を、前記フレーム４Ｃに固定する。この際、前記筒状部４３が前記貫通孔４１Ａに挿入されると共に、前記筒状部４３の上端が前記スリーブ４７の下端に当接する。このようにして、前記スリーブ４７は、前記段部４４と筒状部４３とで挟まれる。この状態で、前記貫通孔４３Ａ，４７ａ，４４Ａは連通する。そして、前記保持部４５の上方から前記ナット４６が挿入されると共に、前記貫通孔４３Ａの下方から前記ボルト４８が挿入され、これらのボルト４８とナット４６とが螺合される。なお、前記ナット４６は、前記保持部４５において周り止めされた状態で保持されるので、前記ボルト４８をドライバー又はレンチで締め付けるだけで良い。そして、前記ボルト４８とナット４６とが螺合されることで、前記スリーブ４７が前記段部４４と前記筒状部４３との間で締め付けられて挟持される。このようにして、前記第一連結部６が構成される。
【００１９】
このように、前記第一連結部６は、鋼製の前記スリーブ４７とボルト４８とナット４６とを有して構成されるので、細い形状であったとしても十分な強度を確保することができる。このように、前記第一連結部６を細く形成することができることで、前記第一連結部６の後縁６Ａと第二連結部７の前縁７Ａとの間隔Ｌを十分に確保しながら、前記把持部５の長さを短くすることができる。従って、前記本体２の胴部４を小型軽量にすることに伴って前記把持部５が小型化されたとしても、この把持部５の握られる部分の長さを十分確保して握りやすくすることができる。
【００２０】
前記吸込口４Ｂには、前記アタッチメント１００が着脱可能に取り付けられる。このアタッチメント１００は、延長管１０１と着脱ノズル１０２を有して構成される。なお、前記着脱ノズル１０２は、図１及び図２に示すように、前記延長管１０１を介して前記吸込口４Ｂに接続されるが、直接前記吸込口４Ｂに接続しても良い。また、図示されたアタッチメント１００以外のアタッチメントを前記吸込口４Ｂに接続しても良い。
【００２１】
以上のように本発明は、胴部４と、この胴部４から離間して設けられる把持部５と、前記胴部４と把持部５とを連結する第一連結部６及び第二連結部７とを有する電気機器としての電気掃除機１において、これらの連結部６，７が互いに前後に離間して設けられると共に、前記第一連結部６が金属製棒状体である鋼製のスリーブ４７及び鋼製のボルト４８を含んで構成されることにより、前記第一連結部６を細く形成しても強度が十分確保できるので、この第一連結部６と第二連結部７の間隔Ｌを十分に確保しながら、前記把持部５の長さを短くすることができるものである。
【００２２】
また本発明は、前記第一連結部６が、前記胴部４と把持部５の間に設けられる筒状部としてのスリーブ４７と、このスリーブ４７を貫通して前記胴部４とスリーブ４７と把持部５を挟持するボルト４８及びナット４６を有することで、汎用部品を用いて前記第一連結部６を構成することができるので、安価に製造することができる。
【００２３】
次に、本発明の第二の実施形態について、図５に基づいて説明する。なお、本実施形態は、前記第一連結部以外の構造が第一の実施形態と共通する。また、本実施形態における電気機器としての電気掃除機１の外観形状は、第一の実施形態と共通するので、図１乃至図３を本実施形態の説明に準用する。１は本発明の電気機器としての電気掃除機である。この電気掃除機１は、本体２とアタッチメント１００とを有して構成される。
【００２４】
前記本体２は、胴部４と把持部５と第一連結部６と第二連結部７とを有する。前記胴部４は、略円筒状に形成される。また、前記胴部４の上端部４Ａは、前側が低くなるように斜めに形成される。更に、前記胴部４の下部には、吸込口４Ｂが設けられる。前記把持部５は、略円筒状に形成される。また、前記把持部５は、前記胴部４の上端部４Ａと所定の間隔をおいて設けられる。なお、前記把持部５は、前記胴部４の上端部４Ａと平行に設けられる。そして、前記胴部４の上端部４Ａと前記把持部５は、前記第一連結部６と第二連結部７によって連結される。前記胴部４の上端部４Ａの前側と前記把持部５の前側とを連結する前記第一連結部６は、前記胴部４の上端部４Ａ及び把持部５と直交して設けられる。即ち、前記第一連結部６は、上方ほど前方となるように傾斜して設けられる。一方、前記胴部４の上端部４Ａの後側と前記把持部５の後側とを連結する第二連結部７は、その前縁７Ａが前記第一連結部６と平行に形成される。即ち、前記第二連結部７の前縁７Ａも、上方ほど前方となるように傾斜して設けられる。また、前記把持部５の前部には、操作部８及び表示部９が設けられる。前記操作部８は押しボタン式のスイッチである。また、前記表示部９は、前記把持部５における前記第一連結部６よりも前方に設けられる。前記表示部９は、内部に図示しないＬＥＤが設けられており、前記把持部５の円筒側面の全周に渡って環状に設けられる。このため、前記表示部９から放出された光は、前記本体２の全方向から視認することができる。更に、前記胴部４の背面には、略円形凹状の受電部１０が設けられる。この受電部１０には、受電端子１１，１２及び磁着部１３が設けられる。この磁着部１３は、背面視で円形の鋼製部品である。そして、前記受電部に１０に、図示しない給電部が着脱可能に接続される。なお、この給電部には、前記受電端子１１，１２に対応する一対の給電端子、及び前記磁着部１３に対応する磁石が設けられる。そして、前記磁着部１３が前記磁石に磁着されることで、前記受電端子１１，１２と一対の給電端子が電気的に接続された状態で、前記受電部１０と給電部との接続が維持される。
【００２５】
前記第一連結部６及びその周辺構造について詳述する。前記胴部４の上端部４Ａと把持部５は、前記第二連結部７の前部７Ｂと共に一体に形成される。そして、前記上端部４Ａの前部には、前記把持部５に向かって短円筒状の筒状部４１が一体に形成される。また、前記把持部５の前部にも、前記上端部４Ａに向かって短円筒状の筒状部４２が一体に形成される。なお、前記筒状部４１には、貫通孔４１Ａが形成される。一方、前記筒状部４２には、孔部４２Ａが形成される。そして、前記貫通孔４１Ａと孔部４２Ａは、同軸で且つ内径が同じに形成されると共に、それぞれ前記上端部４Ａ及び把持部５と直交する。また、前記胴部４の内部には、フレーム４Ｃが設けられる。このフレーム４Ｃには、前記筒状部４１に挿入される筒状部４３が一体形成される。そして、この筒状部４３には、貫通孔４３Ａが形成される。なお、前記フレーム４Ｃに前記上端部４Ａを取り付けた状態において、前記貫通孔４３Ａは前記貫通孔４１Ａ及び孔部４２Ａと同軸状となる。そして、前記フレーム４Ｃの後部には、前記第二連結部７の後部７Ｃが一体に形成される。また、前記筒状部４２の上方には、段部４４が形成される。この段部４４には、貫通孔４４Ａが形成される。なお、この貫通孔４４Ａは、前記孔部４２Ａと同軸状となる。また、前記筒状部４１，４２の内側には、金属製棒状体である鋼製の棒体５１が配置される。この棒体５１の軸方向両端部は、それぞれ前記筒状部４３と段部４４に当接する。また、前記棒体５１には、軸方向に貫通孔５２が形成される。そして、この貫通孔５２の両端には、雌螺子部５３，５３が形成される。更に、前記筒状部４３の貫通孔４３Ａを挿通して、鋼製のビス５４が前記棒体５１の下方の雌螺子部５３と螺合する。このように、前記ビス５４を前記雌螺子部５３と螺合させることで、前記筒状部４３は、前記棒体５１の下端とビス５４の螺子頭との間に締め付けられて挟持される。同様に、前記段部４４の貫通孔４４Ａを挿通して、鋼製のビス５５が前記棒体５１の上方の雌螺子部５３と螺合する。このように、前記ビス５５を前記雌螺子部５３と螺合させることで、前記段部４４は、前記棒体５１の上端とビス５５の螺子頭との間に締め付けられて挟持される。そして、前記段部４４が前記把持部５と一体に形成され、また、前記筒状部４３が前記胴部４のフレーム４Ｃと一体に形成されるので、前記棒体５１は、前記胴部４と把持部５との間で支持される。
【００２６】
前記鋼棒体５１は、前記筒状部４１の貫通孔４１Ａの下方から、この貫通孔４１Ａに挿入される。そして、前記棒体５１の上端部は、前記筒状部４２の孔部４２Ａに挿入され、前記段部４４に当接する。このようにして前記棒体５１が挿入された前記上端部４Ａ及び把持部５を、前記フレーム４Ｃに固定する。この際、前記筒状部４３が前記貫通孔４１Ａに挿入されると共に、前記筒状部４３の上端が前記棒体５１の下端に当接する。このようにして、前記棒体５１は、前記段部４４と筒状部４３とで挟まれる。この状態で、前記貫通孔４３Ａ，５２，４４Ａは連通する。そして、前記貫通孔４３Ａの下方から前記ビス５４が挿入されて、前記棒体５１の下方の雌螺子部５３と螺合する。同様に、前記貫通孔４４Ａの上方から前記ビス５５が挿入されて、前記棒体５１の上方の雌螺子部５３と螺合する。そして、前記ビス５４と雌螺子部５３とが螺合されることで、前記フレーム４Ｃが前記棒体５１の下端とビス５４の螺子頭との間で締め付けられて挟持される。同様に、前記ビス５５と雌螺子部５３とが螺合されることで、前記把持部５が前記棒体５１の上端と前記ビス５５の螺子頭との間で締め付けられて挟持される。このようにして、前記第一連結部６が構成される。
【００２７】
このように、前記第一連結部６は、鋼製の前記棒体５１とビス５４，５５とを有して構成されるので、細い形状であったとしても十分な強度を確保することができる。このように、前記第一連結部６を細く形成することができることで、前記第一連結部６の後縁６Ａと第二連結部７の前縁７Ａとの間隔Ｌを十分に確保しながら、前記把持部５の長さを短くすることができる。従って、前記本体２の胴部４を小型軽量にすることに伴って前記把持部５が小型化されたとしても、この把持部５の握られる部分の長さを十分確保して握りやすくすることができる。
【００２８】
前記吸込口４Ｂには、前記アタッチメント１００が着脱可能に取り付けられる。このアタッチメント１００は、延長管１０１と着脱ノズル１０２を有して構成される。なお、前記着脱ノズル１０２は、図１及び図２に示すように、前記延長管１０１を介して前記吸込口４Ｂに接続されるが、直接前記吸込口４Ｂに接続しても良い。また、図示されたアタッチメント１００以外のアタッチメントを前記吸込口４Ｂに接続しても良い。
【００２９】
以上のように本発明は、胴部４と、この胴部４から離間して設けられる把持部５と、前記胴部４と把持部５とを連結する第一連結部６及び第二連結部７とを有する電気機器としての電気掃除機１において、これらの連結部６，７が互いに前後に離間して設けられると共に、前記第一連結部６が金属製棒状体である鋼製の棒体５１を含んで構成されることにより、前記第一連結部６を細く形成しても強度が十分確保できるので、この第一連結部６と第二連結部７の間隔Ｌを十分に確保しながら、前記把持部５の長さを短くすることができるものである。
【００３０】
また本発明は、前記第一連結部６が、前記胴部４と把持部５の間に設けられると共にビス孔としての雌螺子部５３が形成された貫通孔５２を有する金属製棒状体としての棒体５１と、この棒体５１の雌螺子部５３に螺合されて前記胴部４と前記把持部５を前記棒体５１との間で挟持するビス５４，５５を有することで、これらのビス５４，５５を前記棒体５１の両端に螺合させて前記第一連結部６を容易に構成することができるものである。
【００３１】
次に、本発明の第三の実施形態について、図６に基づいて説明する。なお、本実施形態では、第一連結部６１及びその周辺構造についてのみ説明する。即ち、本実施形態において、図示されてはいないが、胴部６２と把持部６３との間に、前記第一連結部６１の他に第二連結部も設けられる。また、本実施形態では、便宜上、図６の上下に基づいて説明する。
【００３２】
前記胴部６２と把持部６３は、図示しない第二連結部によって一体に形成される。そして、前記胴部６２と把持部６３は、それぞれ左外殻半体６４と右外殻半体６５とを左右から結合させて構成される。なお、前記両外殻半体６４，６５における前記胴部６２は、図示しないビスにより固定される。一方、前記両外殻半体６４，６５における前記把持部６３は、ビス６６により固定される。前記左外殻半体６４における前記胴部６２の前記把持部６３側には、半円筒状の突出部６７が一体に形成される。同様に、前記右外殻半体６５における前記胴部６２の前記把持部６３側にも、半円筒状の突出部６８が一体に形成される。これらの突出部６７，６８において前記両外殻半体６４，６５を結合させた際に対向する部分には、半円筒凹状の凹部６９，７０がそれぞれ形成される。従って、前記両外殻半体６４，６５を結合させることで、前記突出部６７，６８の内側に、円筒凹状の孔部７１が形成される。更に、前記凹部６９には、内向きリブ状の上押さえ部７２及び下押さえ部７３が一体に形成される。同様に、前記凹部７０には、内向きリブ状の上押さえ部７４及び下押さえ部７５が一体に形成される。一方、前記左外殻半体６４における前記把持部６３の前記胴部６２側には、半円形の切欠部７６が形成される。同様に、前記右外殻半体６５における前記把持部６３の前記胴部６２側にも、半円形の切欠部７７が形成される。従って、前記両外殻半体６４，６５を結合させることで、前記把持部６３の前記胴部６２側に円形の孔部７８が形成される。この孔部７８は、前記孔部７１と同軸状に形成される。そして、前記把持部６３の内部には、平坦状の当接部７９及びリブ状の押さえ部８０，８１が形成される。なお、前記当接部７９及び押さえ部８０は、前記左外殻半体６４に一体に形成される。一方、前記押さえ部８１は、前記右外殻半体６５に一体に形成される。
【００３３】
前記第一連結部６１は金属製棒状体である鋼製の棒体８２からなる。この棒体８２は、円筒柱部８３の両端に、それぞれ一対のフランジ状の外リブ８４及び内リブ８５が形成される。前記外リブ８４は円形であり、前記円筒柱部８３の両端に一体に形成される。前記内リブ８５は円形であり、前記円筒柱部８３の両端よりも中央寄りに一体に形成される。なお、前記外リブ８４の直径と前記内リブ８５の直径は等しい。また、前記外リブ８４，８４同士の厚さは等しく、前記内リブ８５，８５同士の厚さも等しい。更に、前記円筒柱部８３の一端側における前記外リブ８４と内リブ８５の間隔は、前記円筒柱部８３の他端側における前記外リブ８４と内リブ８５の間隔と等しい。即ち、前記棒体８２の一端側の形状と他端側の形状は同じである。従って、前記棒体８２の一端側と他端側のどちらも、同じように前記胴部６２側又は把持部６３側に保持させることができる。そして、前記外リブ８４と内リブ８５の間隔は、前記上押さえ部７２の上端から前記下押さえ部７３の下端までの距離、及び前記上押さえ部７４の上端から前記下押さえ部７５の下端までの距離とほぼ等しい。また、前記外リブ８４の厚さは、前記当接部７９から前記押さえ部８０までの距離とほぼ等しい。従って、前記棒体８２は、その下端部が前記突出部６７，６８で保持される際に、前記各押さえ部７２，７３，７４，７５が前記外リブ８４と内リブ８５の間に入ることによって、軸方向に位置決めされる。一方、前記棒体８２は、その上端部の外リブ８４が前記把持部６３内において、前記当接部７９と押さえ部８０とで挟まれることによって、軸方向に位置決めされる。更に、前記前記両外殻半体６４，６５における前記胴部６２を図示しないビスにより固定することで、前記棒体８２の円筒柱部８３の下端部は、前記各押さえ部７２，７３と各押さえ部７４，７５によって挟持される。一方、一方、前記両外殻半体６４，６５における前記把持部６３を前記ビス６６により固定することで、前記棒体８２の円筒柱部８３の上端部は、前記押さえ部８０と押さえ部８１によって挟持される。
【００３４】
このように、前記両外殻半体６４，６５を図示しないビス及びビス６６で結合させることにより、前記棒体８２の両端が前記胴部６２及び把持部６３において挟持される。従って、前記胴部６２及び把持部６３の外殻半体６４，６５同士をビス等で螺着させることで容易に前記第一連結部６１を構成することができる。そして、前記棒体８２が鋼製であることから、細い形状であったとしても十分な強度を確保することができる。このように、前記第一連結部６１を細く形成することができることで、前記第一連結部６１から図示しない第二連結部までの間隔を十分に確保しながら、前記把持部６３の長さを短くすることができる。従って、前記胴部６２を小型軽量にすることに伴って前記把持部６３が小型化されたとしても、この把持部６３の握られる部分の長さを十分確保して握りやすくすることができる。
【００３５】
以上のように本発明は、胴部６２と、この胴部６２から離間して設けられる把持部６３と、前記胴部６２と把持部６３とを連結する第一連結部６１及び第二連結部とを有する電気機器において、第一連結部６１と第二連結部が互いに前後に離間して設けられると共に、前記第一連結部６１が金属製棒状体である鋼製の棒体８２によって構成されることにより、前記第一連結部６１を細く形成しても強度が十分確保できるので、この第一連結部６１と第二連結部の間隔を十分に確保しながら、前記把持部６３の長さを短くすることができるものである。
【００３６】
また本発明は、前記胴部６２及び把持部６３がそれぞれ左外殻半体６４と右外殻半体６５とを結合して構成されると共に、これらの外殻半体６４，６５同士を結合することにより前記棒体８２の両端が挟持されるように構成されることで、前記胴部６２及び把持部６３の半体同士をビス６６等で螺着させて容易に前記第一連結部６１を構成することができるものである。
【００３７】
なお、本発明は以上の実施形態に限定されるものではなく、発明の要旨の範囲内で種々の変形実施が可能である。例えば、上記実施形態では、前側の連結部を第一連結部とし、この第一連結部が金属製棒状体を含んで構成されるようにしたが、後側の連結部を第一連結部としても良い。また、第一連結部と第二連結部の両方を、金属製棒状体を含む構成としても良い。また、前記金属製棒状体の材質は、鋼の他、アルミニウム合金等の金属を用いることができる。また、第一の実施形態において、ボルト４８の強度が十分であれば、スリーブ４７は合成樹脂等で形成しても良い。また、第一及び第二の実施形態において、電気機器の一例として電気掃除機を用いて説明したが、把持部を有する電気機器であれば、電気掃除機以外の電気機器であっても良い。更に、第二の実施形態において、前記棒体５１に貫通孔５２を形成し、この貫通孔５２の両端部に雌螺子部５３を形成したが、前記棒体５１の両端に有底のビス孔を設けても良い。
【符号の説明】
【００３８】
１  電気掃除機（電気機器）
４  胴部
４Ｃ  フレーム（胴部）
５  把持部
６  第一連結部
７  第二連結部
４７  スリーブ（金属製棒状体、筒状体）
４８  ボルト（金属製棒状体）
５１  棒体（金属製棒状体）
５２  貫通孔（ビス孔）
５３  雌螺子部（ビス孔）
５４，５５  ビス
６１  第一連結部
６２  胴部
６３  把持部
６４  左外殻半体
６５  右外殻半体
６６  ビス
８２  棒体（金属製棒状体）
Ｌ  距離
【図１】
2019186408.tif 000003
【図２】
2019186408.tif 000004
【図３】
2019186408.tif 000005
【図４】
2019186408.tif 000006
【図５】
2019186408.tif 000007
【図６】
2019186408.tif 000008